(57)【要約】      （修正有）【課題】婦人が着物を着用する際の和装用下着であって、胸部を所謂「はと胸」に補正できる和装用胸部補正布を提供する。【解決手段】厚み６ｍｍ以下の布から形成され、横幅２５０ｍｍ〜３００ｍｍ、縦幅１７０ｍｍ〜１８０ｍｍの布であり、布上部の上辺中心から、垂直方向に８０ｍｍ〜１４０ｍｍの切り込みを入れて補正布上部中央は折り込まれている形状を形成し、布上部から下方向４０ｍｍ〜６０ｍｍの間に相当する補正布上部は布１枚、及び２枚の厚さであり、補正布上部から下方向３０ｍｍ〜４０ｍｍの間に相当する補正布中上部は両側辺部から中心部に向かって布１枚から６枚の厚さであるが、中心部は４枚の厚さであり、補正布中上部から下方向５０ｍｍ〜６０ｍｍの間に相当する補正布中下部は側辺部から中心部に向かって布２枚から布４枚の厚さであり、補正布の他の部位は布２枚の厚さである【選択図】図１２
0003229136.tif 000002
【実用新案登録請求の範囲】
【請求項１】
着用者の胸部に載せることによって、胸元を補正する和装用胸部補正布であって、
横幅２００ｍｍ〜４００ｍｍ、縦幅３００ｍｍ〜５００ｍｍの布の下部右側辺と下部左側辺を布下部辺の中心の位置から二つに折り込み、
布上部の上辺中心から、垂直方向に５０ｍｍ〜１５０ｍｍの切り込みを入れ、
前記切れ込みの辺が水平方向になるように、裏面に向け前記切り込みを入れた箇所から折り込み、
下部から９０ｍｍ〜１００ｍｍ上を折り目として、下部から上部に向けて折り込み、
さらに下部から１６０ｍｍ〜１９０ｍｍ上を折り目として、下部から上部に向けて折り込み、
布が重なった箇所を縫い合わせることによって形成される、
ことを特徴とする和装用胸部補正布。
【考案の詳細な説明】
【技術分野】
【０００１】
本考案は、和装用下着に関し、特に婦人が着物を着用する際、胸部を所謂「はと胸」に補正できる和装用胸部補正布に関する。
【背景技術】
【０００２】
従来、留袖や振袖などの和服を着る前には、その下準備として、肌着である肌襦袢と裾よけを身に付け、その上に半襟の付いた長襦袢を着る。和服の身頃は反物を幅方向に裁断した生地から仕立てられているため、和服や帯のヨレを防ぎ、美しい着姿に仕上げるためには、身体のラインの凹凸をなくして寸胴となるように整える必要があった。そのため、例えば、胸の膨らみが強調されることのないように、サラシで押さえたり、タオルを巻いて、体型の補正が行われていた。補正を加えておくことにより、着崩れを防ぐこともできた。
【０００３】
しかしながら、このような補正は、着用者の体型に合わせて行う必要があり、和服を着慣れていない初心者には、どこをどのように補正すればよいのかの判断が難しかった。また、補正には、タオルや紐などを多用するため、準備が面倒であり時間も掛かるので、和服を気軽に着ることができなかった。さらに、補正箇所や補正方法を間違えると、息苦しく感じるなど着心地が悪くなってしまうこともあった。
【先行技術文献】
【特許文献】
【０００４】
【特許文献１】特開２０１５−４０３５１号公報
【特許文献２】特開２０１８−１２３４４０号公報
【考案の概要】
【考案が解決しようとする課題】
【０００５】
この種の和装用胸部補正用具としては、特許文献１の和装用胸部補正衣や特許文献２の女性用下着が存在する。
【０００６】
しかし特許文献１に記載の「和装用胸部補正衣」も、特許文献２に記載の「女性用下着」も、様々な効果を求めるが故、複雑な構成を有し、非常に着用の難易度も上がっている。
【課題を解決するための手段】
【０００７】
前記課題を解決するために、請求項１に係る考案は着用者の胸部に載せることによって、胸元を補正する和装用胸部補正布であって、横幅２００ｍｍ〜４００ｍｍ、縦幅３００ｍｍ〜５００ｍｍの布の下部右側辺と下部左側辺を布下部辺の中心の位置から二つに折り込み、布上部の上辺中心から、垂直方向に５０ｍｍ〜１５０ｍｍの切り込みを入れ、前記切れ込みの辺が水平方向になるように、裏面に向け前記切り込みを入れた箇所から折り込み、下部から９０ｍｍ〜１００ｍｍ上を折り目として、下部から上部に向けて折り込み、さらに下部から１６０ｍｍ〜１９０ｍｍ上を折り目として、下部から上部に向けて折り込み、布が重なった箇所を縫い合わせることによって形成される、ことを特徴としている。
【考案の効果】
【０００８】
本考案によれば、布（タオル）を折る、という非常に簡単な方法で制作可能であり、着付け前に胸に載せるだけで、胸部を布（タオル）の厚みによって所謂「はと胸」に補正できる和装用胸部補正布の提供が可能となる。
【図面の簡単な説明】
【０００９】
【図１】本考案の実施形態に係る布Ｔの全体図である。
【図２】本考案の実施形態に係る布Ｔから和装用胸部補正布１を作成するステップＳ１を示す図である。
【図３】本考案の実施形態に係る布Ｔから和装用胸部補正布１を作成する途中示す図である。
【図４】本考案の実施形態に係る布Ｔから和装用胸部補正布１を作成するステップＳ２及びＳ３を示す図である。
【図５】本考案の実施形態に係る布Ｔから和装用胸部補正布１を作成する途中示す図である。
【図６】本考案の実施形態に係る布Ｔから和装用胸部補正布１を作成するステップＳ４及びＳ５を示す図である。
【図７】本考案の実施形態に係る布Ｔから和装用胸部補正布１を作成するステップＳ６を示す図である。
【図８】本考案の実施形態に係る布Ｔから和装用胸部補正布１を作成する途中示す図である。
【図９】本考案の実施形態に係る布Ｔから和装用胸部補正布１を作成するステップＳ７を示す図である。
【図１０】本考案の実施形態に係る布Ｔから和装用胸部補正布１を作成し、完成した図である。
【図１１】本考案の実施形態に係る布Ｔから和装用胸部補正布１を作成し、完成後に、ステップＳ８で縫い合わせた図である。
【図１２】本考案の実施形態に係る和装用胸部補正布１を使用する実施例図である。
【図１３】本考案の実施形態に係る和装用胸部補正布１を使用後に和服を着用した実施例図である。
【考案を実施するための形態】
【００１０】
以下、添付図面を参照しながら本考案の実施の形態について説明する。以下の実施の形態は、本考案を説明するための例示であり、本考案をその実施の形態のみに限定する趣旨ではない。また、本考案は、その要旨を逸脱しない限り、様々な変形が可能である。さらに、各図面において同一の構成要素に対しては可能な限り同一の符号を付し、重複する説明は省略する。
【００１１】
［和装用胸部補正布作成例］
本考案の実施例として、布Ｔを使って和装用胸部補正布（以下、補正布１と略す）を図１乃至図１１に沿って説明する。まず、図１に示すような布Ｔを準備する。布Ｔの横幅Ｗ１は１００ｍｍ以上６００ｍｍ以下、好ましくは２００ｍｍ以上４００ｍｍ以下、さらに好ましくは２５０ｍｍ以上３００以下である。布Ｔの縦幅Ｈ１については５００ｍｍ以上１５００ｍｍ以下、好ましくは６００ｍｍ以上１０００ｍｍ以下、さらに好ましくは７５０ｍｍ以上８５０以下である。
【００１２】
布Ｔの材質は主に綿が好ましいが、麻、及びレーヨン、ナイロン、ポリエステルなどの化学繊維でも良い。表面はタオル地であるループ状の細かい糸（輪奈）が飛び出している布地が好ましいが、手拭いのような平縫いの表面でも良い。タオル地の場合、胸部の厚み補正を行うように、全体の厚みは１０ｍｍ以内、好ましくは８ｍｍ以内、さらに好ましくは６ｍｍ以内である。
【００１３】
上記範囲であれば、布Ｔのサイズ、材質は問わないが、材質は綿、サイズは、横幅Ｗ１が２７０ｍｍ、縦幅Ｈ１が８００ｍｍの着付け専用タオルが最適である。
【００１４】
次に、図２に示すように、布Ｔの下部側辺１１が上部側辺１２に重なるように、縦幅Ｈ１の半分の位置を折り目として、二つ折りにして、折り目から裁断する（ステップS１）。二つ折りにすることにより、布Ｔの縦幅Ｈ１は半分となる。以後、使用するのは裁断後２つとなった布Ｔの１つである。
【００１５】
次に、図３及び図４に示すように、半分に折られた布Ｔの下部左側辺２１、及び下部右側辺２２をＷ１の半分の長さとなるＷ２の箇所から、それぞれ左右に折り込む（ステップＳ２、ステップＳ３）。
【００１６】
次に、図５に示すように、布Ｔの上部側辺１１、及び１２をＷ１の半分の長さとなるＷ２の箇所から垂直方向に切り込み３１を入れる。切り込み３１の長さはＷ２より短い長さとする。
【００１７】
次に、図６に示すように、切り込み３１から布Ｔ裏面へ向け、切り込み３１が水平方向になるように左右それぞれに折りこむ（ステップＳ４、ステップ５）。
【００１８】
次に、図７及び図８に示すように、布Ｔ下部の鋭角４１を下部からＨ４の位置（折込んだ下部側辺２１、及び２２の長さＨ３を引いた位置）を折り目として、上部に向けて折り込む（ステップＳ６）。Ｈ４は８５ｍｍ以上１０５ｍｍ以下、好ましくは９０ｍｍ以上１００ｍｍ以下、さらに好ましくは９５ｍｍである。
【００１９】
次に、図９及び図１０に示すように、布Ｔ上部からＨ５の位置を折り目として、下部５１を上部に向けて折り込む（ステップＳ７）。Ｈ５は１５０ｍｍ以上２００ｍｍ以下、好ましくは１６０ｍｍ以上１９０ｍｍ以下、さらに好ましくは１７０ｍｍ以上１８０ｍｍ以下である。
【００２０】
上記方法により補正布１の形状を作成する。この形を固定するために、図１０の補正布１を裏返し、図１１のようにステップＳ８の位置を縫いあわせても良い。
【００２１】
［和装用胸部補正布実施例］
上記方法によって作成した補正布１は、和服を着用する前に、図１２のように着用者の胸部に載せた後、図１３のように和服を着用する。この和装用タオルから作成した補正布１を使用することにより、補正布１の凹凸が厚みを出したい箇所のみ簡易に厚みを出すことが可能となり、万人が簡易に利用可能で、胸部を所謂「はと胸」に補正することが可能となる。
【符号の説明】
【００２２】
１  和装用胸部補正布
１１  布Ｔの下部側辺
１２  布Ｔの上部側辺
２１  布Ｔの下部左側辺
２２  布Ｔの下部右側辺
３１  布Ｔの上部切り込み
４１  布Ｔの下部鋭角
５１  布Ｔの下部
Ｔ  布
【図１】
0003229136.tif 000003
【図２】
0003229136.tif 000004
【図３】
0003229136.tif 000005
【図４】
0003229136.tif 000006
【図５】
0003229136.tif 000007
【図６】
0003229136.tif 000008
【図７】
0003229136.tif 000009
【図８】
0003229136.tif 000010
【図９】
0003229136.tif 000011
【図１０】
0003229136.tif 000012
【図１１】
0003229136.tif 000013
【図１２】
0003229136.tif 000014
【図１３】
0003229136.tif 000015
【手続補正書】
【提出日】令和2年8月28日(2020.8.28)
【手続補正１】
【補正対象書類名】実用新案登録請求の範囲
【補正対象項目名】全文
【補正方法】変更
【補正の内容】
【実用新案登録請求の範囲】
【請求項１】
着用者の胸部に載せることによって、胸元を補正する和装用胸部補正布であって、
６ｍｍ以下の布から形成され、
横幅２５０ｍｍ〜３００ｍｍ、縦幅１７０ｍｍ〜１８０ｍｍの布であり、
布上部の上辺中心から、垂直方向に８０ｍｍ〜１４０ｍｍの切り込みを入れて補正布上部中央は折り込まれている形状を形成し、
布上部から下方向４０ｍｍ〜６０ｍｍの間に相当する補正布上部は布１枚、及び２枚の厚さであり、
前記補正布上部から下方向３０ｍｍ〜４０ｍｍの間に相当する補正布中上部は両側辺部から中心部に向かって布１枚から６枚の厚さであるが、中心部は４枚の厚さであり、
前記補正布中上部から下方向５０ｍｍ〜６０ｍｍの間に相当する補正布中下部は側辺部から中心部に向かって布２枚から布４枚の厚さであり、
補正布の他の部位は布２枚の厚さである、
ことを特徴とする和装用胸部補正布。
【手続補正２】
【補正対象書類名】明細書
【補正対象項目名】０００７
【補正方法】変更
【補正の内容】
【０００７】
前記課題を解決するために、請求項１に係る考案は着用者の胸部に載せることによって、胸元を補正する和装用胸部補正布であって、６ｍｍ以下の布から形成され、
横幅２５０ｍｍ〜３００ｍｍ、縦幅１７０ｍｍ〜１８０ｍｍの布であり、布上部の上辺中心から、垂直方向に８０ｍｍ〜１４０ｍｍの切り込みを入れて補正布上部中央は折り込まれている形状を形成し、布上部から下方向４０ｍｍ〜６０ｍｍの間に相当する補正布上部は布１枚、及び２枚の厚さであり、前記補正布上部から下方向３０ｍｍ〜４０ｍｍの間に相当する補正布中上部は両側辺部から中心部に向かって布１枚から６枚の厚さであるが、中心部は４枚の厚さであり、前記補正布中上部から下方向５０ｍｍ〜６０ｍｍの間に相当する補正布中下部は側辺部から中心部に向かって布２枚から布４枚の厚さであり、補正布の他の部位は布２枚の厚さである、ことを特徴としている。